(57)【要約】【課題】  人の背中側において両腕を互いに交差させた状態において、左右の腕を互いに逆方向に引伸ばし運動を行うことができる腕引伸ばし運動具を提供する。【解決手段】  筒状に形成された通気用の駆動ケースの一方の端部に軸引伸ばし部が取付けれ、これら駆動ケース及び軸引伸ばし部に回転駆動可能に移動軸が取付けられ、かつ駆動ケース内の移動軸部分に取付けられた空気の通過により該移動軸を回転駆動する回転駆動部を有する腕引伸ばし部と、駆動ケースの一方側から人の足の踏み付けにより空気圧を駆動ケース内に通気させて移動軸を回転駆動部により回転駆動させる通気装置と、駆動ケースの一方側に取付けられ他端部側を人の背中側に配置した一方の腕で保持される第１の腕引き部と、駆動ケースの他方側の軸引伸ばし部側の移動軸に取付けられ人の背中側に配置した他方の腕で保持させる第２の腕引き部とを有する。【選択図】  図１
2011062277.tif 000002
【特許請求の範囲】
【請求項１】
筒状に形成された通気用の駆動ケースの一方の端部に軸引伸ばし部が取付けれ、これら駆動ケース及び軸引伸ばし部に回転駆動可能に移動軸が取付けられ、かつ前記駆動ケース内の前記移動軸部分に取付けられた空気の通過により該移動軸を回転駆動する回転駆動部を有する腕引伸ばし部と、前記駆動ケースの一方側から人の足の踏み付けにより空気圧を前記駆動ケース内に通気させて前記移動軸を前記回転駆動部により回転駆動させる通気装置と、前記駆動ケースの一方側に取付けられ他端部側を前記人の背中側に配置した一方の腕で保持される第１の腕引き部と、前記駆動ケースの他方側の前記軸引伸ばし部側の前記移動軸に取付けられ前記人の背中側に配置した他方の腕で保持させる第２の腕引き部とを有することを特徴とする腕引伸ばし運動具。
【請求項２】
前記軸引伸ばし部は、人が引伸ばし運動を行う部分において固定された状態で取り付けれていることを特徴とする請求項１記載の腕引伸ばし運動具。
【請求項３】
前記軸引伸ばし部は、人が引伸ばし運動を行う前側において固定されない状態で配置されていることを特徴とする請求項１記載の腕引伸ばし運動具。
【請求項４】
前記回転駆動部は、帯状に形成された駆動用の帯が前記移動軸に傾斜した状態で巻き付けられたものであることを特徴とする請求項１記載の腕引伸ばし運動具。
【請求項５】
前記通気装置は、左足または右足で踏み付けすることで空気圧を供給する圧縮空気発生部を有することを特徴とする請求項１記載の腕引伸ばし運動具。
【発明の詳細な説明】
【技術分野】
【０００１】
本発明は、人の背中側において両腕を互いに交差させた状態で、腕の引伸ばし運動を可能とすることで、肩関節の可動域の拡大を図ることができる腕引伸ばし運動具に関するものである。
【背景技術】
【０００２】
従来、人の左右の腕を引伸ばす運動を可能とするものとして、ぶら下がり健康器具、または引っ張り運道具が知られている（例えば、特許文献１参照）。このぶら下がり健康器具または引っ張り運道具は、上部側に配置された鉄棒に腕をぶら下げて運動したり、または引っ張り運動するものである。このぶら下がり健康器具または引っ張り運道具では、人の腕を上部側に引伸ばしするものであり、人の腕を背面側において交差させた状態で引伸ばすものではない。
【０００３】
また、腕をストレッチさせる浴槽用健康器具であって、浴槽の上方側に形成される天井、壁等に取り付けられる固定支持具と、この固定支持具に摺動可能に吊持され、その両側終端に把持部を形成する吊下索とよりなり、浴槽内で把持部を掴んで吊下索を上部方向に摺動して腕をストレッチさせる浴槽用健康器具が記載されている（例えば、特許文献２参照）。この浴槽用健康器具は、浴槽内で身体を温めてから徐々に、その痛みの度合いに応じて左右の腕を上下方向に動かすことによって筋肉を解し、痛みを和らげることができ、さらに、人浴の支障になることなく設置される浴槽用健康器具が記載されている。この浴槽用健康器具は、人の背面側において腕を引伸ばし運動をできるものではない。
【０００４】
【特許文献１】特開２００２−３６０６４３
【特許文献２】特開２００６−２４７３３７
【発明の開示】
【発明が解決しようとする課題】
【０００５】
本発明は上記事情に鑑みなされたもので、人の背中側において両腕を互いに交差させた状態において、左右の腕を互いに逆方向に引伸ばし運動を可能とすることで、肩関節の可動域の拡大を図ることができる腕引伸ばし運動具を提供することを目的とする。
【課題を解決するための手段】
【０００６】
上記目的を達成するために請求項１に記載の発明にあっては、
筒状に形成された通気用の駆動ケースの一方の端部に軸引伸ばし部が取付けれ、これら駆動ケース及び軸引伸ばし部に回転駆動可能に移動軸が取付けられ、かつ前記駆動ケース内の前記移動軸部分に取付けられた空気の通過により該移動軸を回転駆動する回転駆動部を有する腕引伸ばし部と、前記駆動ケースの一方側から人の足の踏み付けにより空気圧を前記駆動ケース内に通気させて前記移動軸を前記回転駆動部により回転駆動させる通気装置と、前記駆動ケースの一方側に取付けられ他端部側を前記人の背中側に配置した一方の腕で保持される第１の腕引き部と、前記駆動ケースの他方側の前記軸引伸ばし部側の前記移動軸に取付けられ前記人の背中側に配置した他方の腕で保持させる第２の腕引き部とを有することを特徴とするものである。人の背中側において両腕を互いに交差させた状態において、左右の腕を互いに逆方向に引伸ばし運動を可能とすることで、肩関節の可動域の拡大を図ることができる。
【０００７】
請求項２に記載の発明にあっては、前記腕引伸ばし部は、人が引伸ばし運動を行う部分において固定された状態で取り付けれていることを特徴とするものである。固定された状態で取り付けれていることで、その場所において引伸ばし運動を行うことができる。
【０００８】
請求項３に記載の発明にあっては、前記腕引伸ばし部は、人が引伸ばし運動を行う前側において固定されない状態で配置されていることで、任意の場所において引伸ばし運動を行うことができる。
【０００９】
請求項４に記載の発明にあっては、前記回転駆動部は、帯状に形成された駆動用の帯が前記移動軸に傾斜した状態で巻き付けられたものであることで、通気装置からの空気により駆動軸を回転駆動することができる。
【００１０】
請求項５に記載の発明にあっては、前記通気装置は、左足または右足で踏み付けすることで空気圧を供給する圧縮空気発生部を有することで、左足または右足のいずれか、または両方で踏み付けすることで、駆動軸を回転駆動することができる。
【発明を実施するための最良の形態】
【００１１】
以下、本発明を図示の一実施形態により具体的に説明する。図１〜図４は本発明第１実施形態の腕引伸ばし運動具を説明する図であり、図１は腕引伸ばし運動具の腕引伸ばし前の状態を説明する図、図２は腕引伸ばし運動具の腕引伸ばし後の状態を説明する図、図３は引伸ばし前の状態を説明する腕引伸ばし運動具の拡大断面図、図４は引伸ばし後の状態を説明する腕引伸ばし運動具の拡大断面図である。
【００１２】
本発明の腕引伸ばし運動具１０は、人１の背中側において左腕２及び右腕３を互いに反対方向に向けた状態において、引伸ばし運動を行うことができるものである。すなわち、腕引伸ばし運動具１０は、人１の左腕２及び右腕３を引き伸ばし運動を行う場合に、それぞれ左腕２及び右腕３を背中側において互いに交差させた状態にして、軸引伸ばし部１１側からの帯状に形成された、第１の腕引き部２０の端部を右腕３側の手先で保持するとともに、第２の腕引き部２１の端部を左腕２側の手先で保持し、軸引伸ばし部１１に駆動用空気を送るように取り付けられた通気装置２２を、右足４または左足５（本実施例では左足５）により踏み付け駆動することにより、空気圧を発生させ、この空気圧により軸引伸ばし部１１側において、第１の腕引き部２０と第２の腕引き部２１とを互いに逆方向に引き伸ばして左腕２及び右腕３を互いに逆方向に引伸ばし運動するものである。なお、本実施形態の腕引伸ばし運動具１０は、例えば、家の室内等において腕の引伸ばし運動を行う場合に、室内の壁側に固定された状態で使用する例として記載しているが、この腕引伸ばし運動具１０の壁への取り付け位置は任意にできる。
【００１３】
本発明をさらに詳細に説明すると、本発明の腕引伸ばし運動具１０は、腕引伸ばし部１１として、筒状に形成された駆動ケース１２及びこの駆動ケース１２の一方の端部側に取り付けられた軸引伸ばし部１４とを有するとともに、これら駆動ケース１２及び軸引伸ばし部１４に移動軸１５が回転しつつ移動可能に取り付けられているものである。すなわち、図３及び図４に示すように、腕引伸ばし部１１は、内部が一定の大きさで真直ぐな円形筒状に形成されたものであって、一方側が閉じた状態に形成され、他方側には、後に詳細に説明する軸引伸ばし部１４が取付けられ、この駆動ケース１２及び軸引伸ばし部１４に移動軸１５が取付けられている。また、軸引伸ばし部１４近傍の駆動ケース１２には、後に詳細に説明する通気装置２２からの圧縮空気が排出する通気口１３が形成されている。この移動軸１５の駆動ケース１２の内側には、帯状に形成された回転駆動部１６が取り付けられ、後に詳細に説明する駆動ケース１２の一方側から入力される圧縮空気により移動軸１５が回転する。この駆動ケース１２の一方の端部側には、帯状に形成された第１の腕引き部２０の一端部が第１の接続部１８に接続され、また軸引伸ばし部１４側から突出された移動軸１５の端部には、第２の腕引き部２１の一端部が第２の接続部１９に接続されている。この移動軸１５は、後に詳細に説明するように、軸引伸ばし部１４側において回転することで、移動する駆動ネジ部１７が軸引伸ばし部１４側に形成されたネジ部１４aに回転可能に取付けられたものである。また、駆動ケース１２には、一方側から圧縮空気を送るための通気装置２２が設けられている。この通気装置２２は、人の右足４または左足５（本実施形態では左足５）で踏み付けることで圧縮空気を発生させる圧縮空気発生部２３と、この圧縮空気発生部２３で発生させた圧縮空気を駆動ケース１２の一方側から送る移動可能な細い帯状に形成された通気帯２４と、この通気帯２４の端部側に設けられ駆動ケース１２の一方側から圧縮空気を挿入する通気口２５とから形成されている。すなわち、腕引伸ばし運動をする人１の足（実施例では、左足５）で踏み付けたときに圧縮空気発生部２３により発生した圧縮空気が通気帯２４及び通気口２５を通って駆動ケース１２の一方側から入力されるようになっている。移動軸１５は、駆動ケース１２と軸引伸ばし部１４とを長さ方向に十分な長さで突き抜けた状態で取付けられている。この移動軸１５の軸引伸ばし部１４側から突出された端部には、第２の腕引き部２１の端部が第２の接続部１９において回転可能に取付けられている。
【００１４】
上記の腕引伸ばし運動具１０により左腕２及び右腕３の引伸ばし運動を行うには、図１に示すように、人１の背中側において左腕２及び右腕３を互いに交差させた状態にして、それぞれ左腕２で第２の腕引き部２１の端部を保持し、右腕３で第１の腕引き部２０の端部を保持し、それぞれの第２の腕引き部２１及び第１の腕引き部２０が真直ぐに引伸ばされた状態に保持する。次に、左足５により通気装置２２の圧縮空気発生部２３を踏み付けると、発生した圧縮空気が通気帯２４を通って通気口２５から駆動ケース１２内に入り、この圧縮空気が駆動ケース１２内を通り軸引伸ばし部１４側に形成された通気口１３から排出される。この空気の駆動ケース１２内の通過により、回転駆動部１６が駆動されて移動軸１５が回転駆動される。この移動軸１５の端部側は駆動ネジ部１７に形成されているため、回転により移動軸１５が回転しつつ軸引伸ばし部１４側からさら外側へ移動する。この移動軸１５の移動により第２の腕引き部２１の第２の接続部１９側
がさらに外側に移動し、これにより第２の腕引き部２１が引伸ばされ、この第２の腕引き部２１の端部で保持した左腕２が引伸ばされる。これにより、互いに交差させた状態で保持した左腕２及び右腕３が互いに逆方向に引かれ、腕の引伸ばし運動を行うことがで、肩関節の可動域の拡大を図ることができる。
【００１５】
次に、本発明の他の実施形態の腕引伸ばし運動具を説明する。図５は本発明第２実施形態の腕引伸ばし運動具を説明する図である。なお、第１実施形態に対応する部分は同一の番号を記載している。
【００１６】
この実施形態の腕引伸ばし運動具１０は、第１実施形態と同様の構成を有するものであるが、第１実施形態においては、家の室内等の壁側に固定された状態で使用する例として記載したが、本実施携帯においては、壁側に固定されることなく、人１の前側に移動可能に配置し、腕引伸ばし運動を行うものである。この本発明第２実施形態の腕引伸ばし運動具１０の構成は、第１実施例と同様の構成を有するものであるが、室内の壁側に固定された状態で使用することなく、人の体の前側において任意の状態に傾斜等させた状態しようするものである。この第２実施形態の腕引伸ばし運動具１０では、一定の場所に取付けられたものでないため、任意の場所で腕延ばし運動を行うことができる。
【００１７】
上記構成の腕引伸ばし運動具１０では、人の背中側において両腕である左腕２及び右腕２を背中側において互いに交差させた状態において、左腕２及び右腕２を互いに逆方向に引伸ばし運動を行うことができる。このような腕引伸ばし運動具１０は、例えば、家の壁側に取付けて腕引伸ばし運動を行うことができるとともに、壁側等に取り付けることなく体の前側に任意の状態に配置して使用することも可能であり、任意の場所で腕引伸ばし運動を自由に行うことができる。さらに、圧縮空気発生部におい自分の足で踏み付けて空気圧を発生させ、この空気圧により腕の引伸ばし運動を行うため、その引伸ばし強さに関しても足の踏み付け強さを自由に調整できるため、引伸ばし強さを自分の好みに応じて使用することができる。また、足の踏み付けにより圧縮空気を発生させることで、足の筋肉の運動になり、腕の引伸ばし運動を行うことができ、肩関節の可動域の拡大を図ることができる。
【００１８】
なお、腕引伸ばし運動具１０の腕引伸ばし部１１、駆動ケース１２及び軸引伸ばし部１４、及びこれら駆動ケース１２及び軸引伸ばし部１４に取付けられる移動軸１５の大きさ等については、使用する人１に応じて任意の大きさ及び重量にに形成することができる。また、本実施形態においては、通気装置２２を圧縮空気発生部２３を左足５で踏み付けて圧縮空気を発生させて腕引伸ばし運動具１１を駆動した例を説明したが、圧縮空気発生部２３を右足で踏み付けて圧縮空気を発生させることもでき、さらには通気装置２２を２組取り付け、左右の足で踏み付けて圧縮空気を発生させるようにすることもできる。
【産業上の利用可能性】
【００１９】
人の背中側において両腕を互いに交差させた状態で、腕の引伸ばし運動を可能とすることで、肩関節の可動域の拡大を図ることができる。
【図面の簡単な説明】
【００２０】
【図１】本発明第１実施形態の引伸ばし前の状態を説明する腕引伸ばし運動具を説明する図である。
【図２】本発明第１実施形態の引伸ばし後の状態を説明する腕引伸ばし運動具を説明する図である。
【図３】本発明第１実施形態の引伸ばし前の状態における腕引き部部分の拡大断面図である。
【図４】本発明第１実施形態の引伸ばし後の状態における腕引き部部分の拡大断面図である。
【図５】本発明第２実施形態の引伸ばし前の状態を説明する腕引伸ばし運動具を説明する図である。
【符号の説明】
【００２１】
１  人
２  左手先
３  右手先
４  右足
５  左足
１０  腕引伸ばし運動具
１１  腕引伸ばし部
１２  駆動ケース
１３  通気口
１４  軸引伸ばし部
１４a   ネジ部
１５  移動軸
１６  回転駆動部
１７  駆動ネジ部
１８  第１の接続部
１９  第２の接続部
２０  第１の腕引き部
２１  第２の腕引き部
２２  通気装置
２３  圧縮空気発生部
２４  通気帯
２５  通気口
【図１】
2011062277.tif 000003
【図２】
2011062277.tif 000004
【図３】
2011062277.tif 000005
【図４】
2011062277.tif 000006
【図５】
2011062277.tif 000007
【手続補正書】
【提出日】平成22年9月10日(2010.9.10)
【手続補正１】
【補正対象書類名】特許請求の範囲
【補正対象項目名】全文
【補正方法】変更
【補正の内容】
【特許請求の範囲】
【請求項１】
筒状に形成された通気用の駆動ケースの一方の端部に軸引伸ばし部が取付けられ、これら駆動ケース及び軸引伸ばし部に回転駆動可能に移動軸が取付けられ、かつ前記駆動ケース内の前記移動軸部分に取付けられた空気の通過により該移動軸を回転させつつ軸方向へ移動力を与える回転駆動部を有する腕引伸ばし部と、前記駆動ケースの一方側から人の足の踏み付けにより空気圧を前記駆動ケース内に通気させて前記移動軸を前記回転駆動部により回転駆動させる通気装置と、前記駆動ケースの一方側に取付けられ他端部側を前記人の背中側に配置した一方の腕で保持される第１の腕引き部と、前記駆動ケースの他方側の前記軸引伸ばし部側の前記移動軸に取付けられ前記人の背中側に配置した他方の腕で保持させる第２の腕引き部とを有し、前記回転駆動部は、帯状に形成された駆動用の帯が前記移動軸に入力される圧縮空気により該移動軸に回転力を与えるよう傾斜した状態で巻き付けられたものであることを特徴とする腕引伸ばし運動具。
【手続補正２】
【補正対象書類名】明細書
【補正対象項目名】０００６
【補正方法】変更
【補正の内容】
【０００６】
上記目的を達成するために請求項１に記載の発明にあっては、筒状に形成された通気用の駆動ケースの一方の端部に軸引伸ばし部が取付けられ、これら駆動ケース及び軸引伸ばし部に回転駆動可能に移動軸が取付けられ、かつ前記駆動ケース内の前記移動軸部分に取付けられた空気の通過により該移動軸を回転させつつ軸方向へ移動力を与える回転駆動部を有する腕引伸ばし部と、前記駆動ケースの一方側から人の足の踏み付けにより空気圧を前記駆動ケース内に通気させて前記移動軸を前記回転駆動部により回転駆動させる通気装置と、前記駆動ケースの一方側に取付けられ他端部側を前記人の背中側に配置した一方の腕で保持される第１の腕引き部と、前記駆動ケースの他方側の前記軸引伸ばし部側の前記移動軸に取付けられ前記人の背中側に配置した他方の腕で保持させる第２の腕引き部とを有し、前記回転駆動部は、帯状に形成された駆動用の帯が前記移動軸に入力される圧縮空気により該移動軸に回転力を与えるよう傾斜した状態で巻き付けられたものであることを特徴とするものである。人の背中側において両腕を互いに交差させた状態において、左右の腕を互いに逆方向に引伸ばし運動を可能とすることで、肩関節の可動域の拡大を図ることができ、通気装置からの空気により駆動軸を回転駆動することができる。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】